(57)【要約】【課題】  シャーシとしての囲構体から引き出されたディスクトレイが停止するときの衝突音や衝撃を緩和する。ディスクトレイを後退位置に正確に停止させる。【解決手段】  囲構体１とディスクトレイ３とを備え、囲構体１の外部に引き出されたディスクトレイの後退位置を規制するストッパ機構Ａを備える。ストッパ機構Ａが、ディスクトレイ３側の当り面７と囲構体１側の受片５とを備える。当り面７に、受片５を係合後に摺動させて弾性変形させる傾斜面部６２と、その傾斜面部によって摺動させられた受片５を係止する係止面部３１ａとが含まれる。係止面部３１ａをディスクトレイ３の側面３１の一部によって形成する。傾斜面部６２と係止面部３１ａとの開き角度θを好ましくは４５度に定める。【選択図】        図４
2006155807.tif 000002
【特許請求の範囲】
【請求項１】
ディスク記録面に対する記録／再生処理に必要な要素を搭載した囲構体にスライド可能に取り付けられてその囲構体の内部と外部との間でディスクを搬入出するディスクトレイを備えていると共に、囲構体の外部に引き出された上記ディスクトレイの後退位置を規制するストッパ機構を備えているディスク装置において、
上記ストッパ機構が、ディスクトレイに具備された当り面と囲構体に設けられて上記当り面に係合することによってディスクの後退位置を規制する弾性を有する受片とを備えていて、
上記当り面に、上記受片を係合後に摺動させてその受片を弾性変形させる傾斜面部と、その傾斜面部によって摺動させられた上記受片を係止する係止面部とが含まれていると共に、上記係止面部がディスクトレイの側面の一部によって形成されているのに対し、傾斜面部が、上記係止面部に対して４５度の開き角度でその係止面部の外側方へ突出し、
上記受片が、上記囲構体と共に樹脂で一体成形された樹脂ばね体でなることを特徴とするディスク装置。
【請求項２】
ディスク記録面に対する記録／再生処理に必要な要素を搭載した囲構体にスライド可能に取り付けられてその囲構体の内部と外部との間でディスクを搬入出するディスクトレイを備えていると共に、囲構体の外部に引き出された上記ディスクトレイの後退位置を規制するストッパ機構を備えているディスク装置において、
上記ストッパ機構が、囲構体及びディスクトレイのうちの一方側に具備された当り面と他方側に設けられてその当り面に係合することによってディスクの後退位置を規制する弾性を有する受片とを備えていて、上記当り面に、上記受片を係合後に摺動させてその受片を弾性変形させる傾斜面部が含まれていることを特徴とするディスク装置。
【請求項３】
上記当り面に、上記傾斜面部と、その傾斜面部によって摺動させられた上記受片を係止する係止面部とが含まれている請求項２に記載したディスク装置。
【請求項４】
上記当り面が上記ディスクトレイに備わり、その当り面の上記係止面部がディスクトレイの側面の一部によって形成され、かつ、その当り面の上記傾斜面部が、ディスクトレイの側面からその外側方へ突出している請求項３に記載したディスク装置。
【請求項５】
上記受片が、上記囲構体と共に樹脂で一体成形された樹脂ばね体でなる請求項４に記載したディスク装置。
【発明の詳細な説明】
【技術分野】
【０００１】
本発明は、ディスク装置、特に、囲構体の外部に引き出されたディスクトレイが停止するときの衝突音を軽減させるための対策を講じたディスク装置に関する。
【背景技術】
【０００２】
ＤＶＤプレーヤなどのディスク装置では、ディスク記録面に対する記録／再生処理に必要な光ピックアップなどの要素を搭載したシャーシとしての囲構体に、その囲構体の内部と外部との間でディスクを搬入するためディスクトレイがスライド可能に取り付けられていると共に、囲構体の外部に引き出された上記ディスクトレイの後退位置を規制する後退位置規制手段を備えている。
【０００３】
従来、上記後退位置規制手段として電気的な制御方法を採用したものがあった。このものは、ディスクトレイが後退位置の直前位置まで引き出されたことをスイッチによって検出し、その検出信号によってディスクトレイを後退させるための駆動源としてのモータの回転を停止させるというものであった。また、このものでは、ディスクトレイが適正な後退位置よりもさらに引き出されてしまうという事態を防ぐために、ディスクトレイに設けた係合爪を囲構体に設けた受片に係止させるという安全対策も講じられていた。
【０００４】
これに対し、後退位置規制手段としての上記のような電気的な制御方法を採用することに代え、機械的に動作するストッパ機構だけを採用することによって上記スイッチを省略することが試みられた。このストッパ機構Ａを図５に概略平面図で示してある。
【０００５】
同図のストッパ機構Ａは、囲構体１に設けられた受片５と、ディスクトレイ３側に設けられた係合爪６とによって構成されていて、ディスクトレイ３の後退方向Ｙに対する係合爪６の端面６１の開き角度、言い換えると、ディスクトレイ３の側面３１に対する係合爪６の端面６１の開き角度θ１が直角（９０度）になっていた。このストッパ機構Ａを採用したディスク装置では、駆動源としての上記モータの回転によってディスクトレイ３が後退方向Ｙに引き出されたときには、係合爪６の端面６１に垂直方向から受片５が係合することによりディスクトレイ３の後退動作が停止してそのディスクトレイ３の後退位置が規制され、その後にモータの回転が所定の制御工程を経て停止する。
【０００６】
他の従来例として、トレイ側面に形成した切欠きを、ドライブ装置本体（上記囲構体に相当する）側のストッパに係合させるようにしたものがあった（たとえば特許文献１参照）。また、ディスクトレイの引込み時にばねによる制動作用を利用してディスクトレイを制動停止させるもの（たとえば特許文献２、特許文献３参照）や、ディスク載置板（ディスクトレイに相当する）の引込み時に、ディスク載置板側のラックとそのラックに噛み合う駆動側のギヤ機構との噛合い状態を変化させてディスク載置板を減速させて停止の際のショックを軽減するもの（たとえば特許文献４参照）などが知られていた。さらに、油液の粘性抵抗を利用してトレイを制動させることも知られていた（たとえば特許文献５参照）。
【特許文献１】特開２００４−９５０３７号公報
【特許文献２】特開平９−２８２７６２号公報
【特許文献３】特開平８−７４３１号公報
【特許文献４】特開平８−６３８５３号公報
【特許文献５】実開昭６３−１１４４４９号公報
【発明の開示】
【発明が解決しようとする課題】
【０００７】
ところで、後退位置規制手段として上記した電気的な制御方法を採用したものでは、部材同士の衝突を伴わずにディスクトレイを後退位置で停止させることができるので、部材同士の衝突音が問題になることは少ない。また、そのものでは、仮に、安全対策として設けられているディスクトレイ側の係合爪が囲構体側の受片に衝突した場合でも、その衝突はディスクトレイの減速下で起こるために衝突音のレベルはきわめて低くなってその衝突音や衝撃が問題になることは少ない。
【０００８】
しかしながら、図５で説明したストッパ機構Ａを採用したものでは、ディスクトレイ３が事前に減速することなく係合爪６と受片５とが垂直方向で衝突してディスクトレイ３が後退位置に停止するので、その衝突音が大きくなり衝突時の衝撃も大きくなってそれらの衝突音や衝撃がディスク装置自体の性能や使い勝手に悪影響を及ぼすおそれがあるということが知見された。
【０００９】
この点に関し、上掲の特許文献１は、ただ単にトレイ側面に形成した切欠きをドライブ装置本体側のストッパに係合させることによってトレイを停止させる技術を提供しているに過ぎず、切欠きとストッパとの係合時の衝突音や衝撃を緩和する技術を提供しているものではない。また、特許文献２や特許文献３、特許文献５のものは板ばねなどのばねや油液など余分に用いているので、それだけ部品点数が増えて構造も複雑になるという不利がある。さらに、特許文献４のものは、ディスク載置板に具備させるラックう特殊な形状にすることによってラックとギヤ機構との噛合い状態を変化させるようにしているので、ラックを一体に備えるディスク載置板の形状が複雑になってそれだけコスト高になる。
【００１０】
本発明は以上の状況に鑑み、図５で説明した機械的に動作するストッパ機構Ａの構造をわずかに改変するだけで衝突音や衝撃を著しく緩和することのできるディスク装置を提供することを目的とする。
【課題を解決するための手段】
【００１１】
本発明に係るディスク装置は、ディスク記録面に対する記録／再生処理に必要な要素を搭載した囲構体にスライド可能に取り付けられてその囲構体の内部と外部との間でディスクを搬入出するディスクトレイを備えていると共に、囲構体の外部に引き出された上記ディスクトレイの後退位置を規制するストッパ機構を備えている。そして、上記ストッパ機構が、囲構体及びディスクトレイのうちの一方側に具備された当り面と他方側に設けられてその当り面に係合することによってディスクの後退位置を規制する弾性を有する受片とを備えていて、上記当り面に、上記受片を係合後に摺動させてその受片を弾性変形させる傾斜面部が含まれている、というものである。
【００１２】
この構成であると、ディスクトレイが囲構体の外部に引き出されてきたときに、当り面の傾斜面部に受片が係合してその受片が弾性変形しながらその傾斜面部を摺動するため、当り面と受片との係合時（衝突時）の衝撃が受片の弾性変形によって吸収されて軽減し、しかも、当り面の傾斜面部に受片が斜め方向から係合することにより、図５で説明したような端面６１に垂直方向から受片５が係合する場合に比べて係合時の衝突音が軽減される。
【００１３】
本発明では、上記当り面に、上記傾斜面部と、その傾斜面部によって摺動させられた上記受片を係止する係止面部とが含まれていることが望ましい。これによれば、ディスクトレイが囲構体の外部に引き出されてきたときに、当り面の傾斜面部に受片が係合してその受片が弾性変形しながらその傾斜面部を摺動した後、係止面部に係止される。そして、ディスクトレイの後退位置は、受片が係止面部に係止したときの位置に正確に規制される。そのため、衝突音や衝撃が緩和されることに加えて、ディスクトレイを後退位置に停止させる際の位置精度が向上する。
【００１４】
本発明では、上記当り面が上記ディスクトレイに備わり、その当り面の上記係止面部がディスクトレイの側面の一部によって形成され、かつ、その当り面の上記傾斜面部が、ディスクトレイの側面からその外側方へ突出していることが望ましく、これによれば、図５で説明した端面６１を傾斜させるだけのわずかな改変を加えるだけで、衝突音や衝撃の緩和作用が発揮されるようになる。
【００１５】
本発明では、上記受片が、上記囲構体と共に樹脂で一体成形された樹脂ばね体でなることが望ましい。これによれば、受片を別部品として設ける必要がないので、図５で説明した端面６１を傾斜させるだけのわずかな改変を加えるだけで、衝突音や衝撃の緩和作用が発揮されるようになる。
【００１６】
本発明に係るディスク装置は、ディスク記録面に対する記録／再生処理に必要な要素を搭載した囲構体にスライド可能に取り付けられてその囲構体の内部と外部との間でディスクを搬入出するディスクトレイを備えていると共に、囲構体の外部に引き出された上記ディスクトレイの後退位置を規制するストッパ機構を備えているディスク装置において、上記ストッパ機構が、ディスクトレイに具備された当り面と囲構体に設けられて上記当り面に係合することによってディスクの後退位置を規制する弾性を有する受片とを備えていて、上記当り面に、上記受片を係合後に摺動させてその受片を弾性変形させる傾斜面部と、その傾斜面部によって摺動させられた上記受片を係止する係止面部とが含まれていると共に、上記係止面部がディスクトレイの側面の一部によって形成されているのに対し、傾斜面部が、上記係止面部に対して４５度の開き角度でその係止面部の外側方へ突出し、上記受片が、上記囲構体と共に樹脂で一体成形された樹脂ばね体でなる、という構成を採用することによっていっそう具体化される。
【００１７】
この発明では、当り面の係止面部と傾斜面部との開き角度を４５度に規定している。そして、この開き角度が４５度である場合に、上記した衝突音や衝撃の緩和作用がバランスよく良好に発揮されることを確認しており、それによると、冒頭で説明したところの、後退位置規制手段として電気的な制御方法を採用したものと比べても、遜色のない同レベルにまで衝突音や衝撃を緩和させることが可能になった。
【発明の効果】
【００１８】
以上のように、本発明によれば、図５で説明した機械的に動作するストッパ機構の構造のうち、係合爪の形状にわずかな改変を加えるだけでディスクトレイが停止するときの衝突音や衝撃を著しく緩和することが可能になり、併せて、ディスクトレイを後退位置に正確に停止させることが可能になるので、衝突音や衝撃がディスク装置自体の性能や使い勝手に悪影響を及ぼすおそれがなくなる。その上、ディスクトレイのラックを特殊な形状に変更したり板ばねなどのばねを用いたりする必要がないので、コスト的にも有利であって、ディスクトレイが後退位置に正確に停止し、しかも、衝突音や衝撃の緩和されたディスク装置を安価に提供することが可能になる。
【発明を実施するための最良の形態】
【００１９】
図１は本発明の実施形態に係るディスク装置を一部破断して示した概略平面図、図２は囲構体１の要部の斜視図、図３はディスクトレイ３の要部の平面図、図４（Ａ）（Ｂ）は作用説明図である。
【００２０】
図１のように、このディスク装置では、シャーシとしての樹脂製の囲構体１に、仮想線で示したディスクトレイ３が出退可能に取り付けられている。囲構体１には、ディスク記録面に対する記録／再生処理に必要な要素、たとえば光ピックアップやその制御基板、ターンテーブルとその駆動源としてのモータ、ディスクトレイ３を出退させるための駆動源となるモータなど（いずれも不図示）が搭載されている。そして、囲構体１に取り付けられたトレイギヤ１２の回転をディスクトレイ３の裏面のまっすぐなラック３２に伝達して直線運動に変換することにより、ディスクトレイ３が囲構体１に対して出退される。また、囲構体１の外部に引き出されたディスクトレイ３にディスク（不図示）を載架させてそのディスクトレイ３を囲構体１の内部に引き込ませることによって、ディスクが記録／再生のために定められたセット位置に搬入されるのに対し、ディスクトレイ３を囲構体１の外部に引き出すことによってディスクが上記セット位置から搬出される。
【００２１】
このディスク装置では、機械的に動作するストッパ機構Ａが備わっている。このストッパ機構Ａは、囲構体１の外部に引き出されたディスクトレイ３の後退位置を規制する作用を発揮するものであって、図１に示したように、囲構体１側に設けられた受片５と、ディスクトレイ３側に設けられた係合爪６とを備えてなる。
【００２２】
図２のように、受片５は囲構体１と共に樹脂で一体成形されていて、囲構体１から斜め内向きに突き出した状態で上方へ立ち上げられた樹脂ばね体でなり、その外面側にはばね弾性の強さを調整している縦リブ５１が備わっている。矢印ａ，ｂは受片５のばね性に抗する変位方向を示している。これに対し、図３のように、係合爪６はディスクトレイ３の側面に付加されていて、その端面が傾斜面部６２として形成されていて、この傾斜面部６２と、この傾斜面部６２が一定の開き角度θを保って対向しているディスクトレイ３の側面の一部でなる係止面部３１ａとによって当り面７が形成されている。
【００２３】
以上の構成において、図４（Ａ）の矢印Ｙのように、ディスクトレイ３が囲構体１から引き出されてきたときには、ディスクトレイ３が後退位置に到達する直前の位置で係合爪６の傾斜面部６２に受片５の先端部５２が係合した後、受片５を内向きに弾性変形させながらその先端部５２が傾斜面部６２を摺動して同図（Ｂ）のように係止面部３１ａに係止される。そして、受片５の先端部５２がディスクトレイ３の側面３１によって形成されている係止面部３１ａに係止されることによって、ディスクトレイ３が後退位置に正確に停止する。
【００２４】
ここで、ディスクトレイ３が後退位置に到達する直前の位置で係合爪６の傾斜面部６２に受片５の先端部５２が図４（Ａ）のように係合した後、同図（Ｂ）のようにその先端部５２が係止面部３１ａに係止されるまでの工程では、樹脂ばね体でなる受片５が弾性変形することによって傾斜面部６２と受片５との係合に伴って発生する衝撃が吸収されて係合時の衝撃が緩和される。また、受片５の先端部５２は、傾斜面部６２に対して斜め方向から係合するので、係合に伴う衝突音が発生しにくくなる。さらに、受片５の先端部５２が係止面部３１ａに係止するときには、事前の受片５の弾性変形に伴う制動作用によってディスクトレイ３が制動されているので、その係止時の衝突音や衝撃はきわめて小さく抑えられる。したがって性能や使い勝手上で問題となるような大きな衝突音や衝撃が発生しなくなる。
【００２５】
以上説明した実施形態のストッパ機構Ａの構成を図５で説明したストッパ機構Ａの構成と対比すると、図５のものでは、受片５に係合してディスクトレイ３を後退位置で停止させる部分が、係合爪６の端面６１によって形成されているのに対し、実施形態では、受片５を係止してディスクトレイ３を後退位置で停止させるのはディスクトレイ３の側面３１によって形成されている係止面部３１である点が異なる。また、図５のものでは、係合爪６の端面６１が、ディスクトレイ３の側面３１から垂直に突き出ているのに対し、実施形態では、係合爪６の端面が、ディスクトレイ３の側面３１から一定の開き角度θを保って突き出た傾斜面部６２を形成している点が異なる。このうち、係止面部３１を形成しているディスクトレイ３の側面３１は、図５のものにも備わっているので、実施形態の当り面７は、図５の係合爪６の端面６１を傾斜させて傾斜面部６２とすることのみによって形成することができる。したがって、この実施形態の構成は、図５の係合爪６の端面６１を傾斜させて傾斜面部６２としたものに相当している。
【００２６】
ところで、この実施形態のように、当り面７を、ディスクトレイ３の側面３１によって形成される係止面部３１ａと係合爪６の端面によって形成される傾斜面部６２とによって形成した場合、両者の開き角度θを４５度に定めておくと、上記した衝突音や衝撃の緩和作用がバランスよく良好に発揮されることを確認しており、そのときには、衝突音や衝撃を、冒頭で説明したところの、後退位置規制手段として電気的な制御方法を採用したものと比べて遜色のない同レベルにまで緩和させることができた。
【００２７】
この実施形態では、ストッパ機構Ａの当り面７をディスクトレイ３側に具備させ、その相手方である受片を囲構体１側に具備させてあるけれども、この点は、当り面７を囲構体１側に具備させ、その相手方である受片をディスクトレイ３側にさせてもよい。
【００２８】
なお、説明を理解しやすくすることを意図して、図１〜図５において同一又は相応する部分には同一符号を付してある。
【図面の簡単な説明】
【００２９】
【図１】本発明の実施形態に係るディスク装置を一部破断して示した概略平面図である。
【図２】囲構体の要部の斜視図である。
【図３】ディスクトレイの要部の平面図である。
【図４】（Ａ）（Ｂ）は作用説明図である。
【図５】機械的に動作するストッパ機構の一般的な構成を示した説明図である。
【符号の説明】
【００３０】
Ａ  ストッパ機構
１  囲構体
３  ディスクトレイ
５  受片
７  当り面
３１  ディスクトレイの側面
３１ａ  係止面部
６２  傾斜面部
θ  係止面部に対する傾斜面部の開き角度
【図１】
2006155807.tif 000003
【図２】
2006155807.tif 000004
【図３】
2006155807.tif 000005
【図４】
2006155807.tif 000006
【図５】
2006155807.tif 000007